(57)【要約】      （修正有）【課題】より小さく複雑でない構造を持つ安定器の提供。【解決手段】高輝度放電ランプ安定器は、電源からの電力を高輝度放電ランプに供給する構成のランプ動作部、高輝度放電ランプに印加される電圧を検出する構成のランプ電圧検出器、ランプ電圧検出器で検出された電圧を基に高輝度放電ランプがオン状態にあるかを決定する構成のランプ状態決定部、電源と定格電圧を持つ補助ランプとを接続する構成の補助ランプ・スイッチング素子、及び高輝度放電ランプに電力を供給され高輝度放電ランプがオン状態にないことをランプ状態決定部が決定するときに、補助ランプの定格電圧に略等しい電圧を補助ランプに印加するように補助ランプ・スイッチング素子を制御する構成の制御器を含む。【選択図】図１（ａ）
2006156376.tif 000002
【特許請求の範囲】
【請求項１】
電源からの電力を高輝度放電ランプに供給するように構成されるランプ動作部と、
該高輝度放電ランプに印加される電圧を検出すように構成されるランプ電圧検知器と、
該ランプ電圧検知器によって検出された電圧に基づいて、該高輝度放電ランプがオンされた状態にあるかを決定するように構成されるランプ状態決定部と、
該電源と定格電圧を持つ補助ランプとを接続するように構成される補助ランプ・スイッチング素子と、
該高輝度放電ランプが該電力を供給され、該高輝度放電ランプが該オンされた状態にあることを該ランプ状態決定部が決定するとき、該補助ランプの定格電圧に実質的に等しい電圧を該補助ランプに印加するために該補助ランプ・スイッチング素子を制御するように構成される制御器と
を含む高輝度放電ランプ安定器。
【請求項２】
該電源の電源電圧を検出するように構成される電源電圧検出器と、
該電源電圧検出器によって検出された電源電圧を予め決められた基準電圧と比較するように構成される電圧比較部とを更に含み、
該電源電圧が予め決められた基準電圧よりも高いことを該電圧比較部が決定するとき、該制御器は、該電源電圧を該補助ランプの定格電圧に実質的に等しいところに低減する該電圧の位相制御によって生成される電圧を該補助ランプに印加する
請求項１記載の高輝度放電ランプ安定器。
【請求項３】
該予め決められた基準電圧は、該補助ランプの許容最大電圧である請求項１記載の高輝度放電ランプ安定器。
【請求項４】
該予め決められた基準電圧は、該補助ランプの定格電圧に実質的に等しい電源電圧を持つ該電源の許容最大電圧である請求項２記載の高輝度放電ランプ安定器。
【請求項５】
該予め決められた基準電圧は、該補助ランプの定格電圧に実質的に等しい該電源電圧よりも約１０％大きい請求項４記載の高輝度放電ランプ安定器。
【請求項６】
該ランプ電圧検出器によって検出された電圧に基づいて、該高輝度放電ランプにスロー・リークがあるかを決定するように構成されるスロー・リーク検出器を更に含み、
該高輝度放電ランプにスロー・リークがあることを該スロー・リーク検出器が決定するとき、該制御器は、該補助ランプ・スイッチング素子をオンする
請求項１記載の高輝度放電ランプ安定器。
【請求項７】
該高輝度放電ランプがオンされた状態にあることを該ランプ状態決定部が決定するとき、及び該高輝度放電ランプにスロー・リークがないことを該スロー・リーク検出器が決定するとき、該制御器は、電圧を該補助ランプに印加しないように該補助ランプ・スイッチング素子を制御する請求項６記載の高輝度放電ランプ安定器。
【請求項８】
該スロー・リーク検出器は、該ランプ電圧検出器によって検出された電圧をしきい値と比較するように構成されるランプ電圧比較器と、該高輝度放電ランプが動作し始める時間から始動しながら、該電圧が該しきい値よりも小さいとき、時間を計測するように構成されるタイマとを含み、
該タイマによって計測された時間が予め決められた基準の長さの時間を超えるとき、該スロー・リーク検出器は、該高輝度放電ランプにスロー・リークがあることを決定し、
該タイマが該時間を計測する間、該制御器は、該補助ランプの定格電圧に実質的に等しい電圧を該補助ランプに印加する
請求項６記載の高輝度放電ランプ安定器。
【請求項９】
該制御器は、該電源電圧が該予め決められた基準電圧よりも高いことを該電圧比較部が決定するとき、固定幅のパルスを作成し、該電源電圧が該予め決められた基準電圧よりも高くないことを該電圧比較部が決定するとき、ＤＣ信号を作成する請求項２記載の高輝度放電ランプ安定器。
【請求項１０】
該高輝度放電ランプの動作を開始するための始動電力モードで該ランプ動作部が該電力を該高輝度放電ランプに供給するとき、該制御器は、該補助ランプの定格電圧に実質的に等しい電圧を該補助ランプに印加する請求項１記載の高輝度放電ランプ安定器。
【請求項１１】
該電源から該補助ランプへの電力供給を停止するように構成される電力切断部を更に含む請求項１記載の高輝度放電ランプ安定器。
【請求項１２】
該電力切断部は、
該補助ランプに印加される電圧を検出するように構成される補助ランプ電圧検出器と、
該補助ランプと並列に接続され、該補助ランプ電圧検出器によって検出された電圧が予め決められたしきい値よりも高いとき、オンされるように構成されるスイッチング素子と、
該スイッチング素子及び該補助ランプと直列に接続され、該スイッチング素子がオンされるとき、該補助ランプを該電源から切断するように構成される切断部と
を含む請求項１１記載の高輝度放電ランプ安定器。
【請求項１３】
該補助ランプに供給される電力を低減するように構成される電力低減部を更に含む請求項１記載の高輝度放電ランプ安定器。
【請求項１４】
該電力低減部は、
該補助ランプに印加される電圧を検出するように構成される補助ランプ電圧検出器と、
該電源と該補助ランプとの間に置かれるインピーダンス要素と、
該インピーダンス要素と並列に接続され、該補助ランプ電圧検出器によって検出された電圧が予め決められたしきい値よりも高いとき、オフされるように構成されるスイッチング素子と
を含む請求項１３記載の高輝度放電ランプ安定器。
【請求項１５】
該予め決められたしきい値は、該補助ランプの許容最大電圧である請求項１２又は１４記載の高輝度放電ランプ安定器。
【請求項１６】
電源からの電力を高輝度放電ランプに供給するためのランプ動作手段と、
該高輝度放電ランプに印加される電圧を検出するためのランプ電圧検出手段と、
該ランプ電圧検出手段によって検出された電圧に基づいて、該高輝度放電ランプがオンされた状態にあるかを決定するためのランプ状態決定手段と、
該電源と定格電圧を持つ補助ランプとを接続するための補助ランプ・スイッチング手段と、
該高輝度放電ランプが該電力を供給され、該高輝度放電ランプがオンされた状態にないことを該ランプ状態決定手段が決定するとき、該補助ランプの定格電圧に実質的に等しい電圧を該補助ランプに印加するように該補助ランプスイッチング手段を制御するための制御手段と
を含む高輝度放電ランプ安定器。
【請求項１７】
電源からの電力を高輝度放電ランプに供給し、
該高輝度放電ランプに印加される電圧を検出し、
検出した電圧に基づいて、該高輝度放電ランプがオンされた状態にあるかを決定し、
該電源と定格電圧を持つ補助ランプとを接続するように構成される補助ランプ・スイッチング素子を提供し、
該高輝度放電ランプが該電力を供給され、該高輝度放電ランプが該オンされた状態にあると決定されないとき、該補助ランプの定格電圧に実質的に等しい電圧を該補助ランプに供給するように該補助ランプ・スイッチング素子を制御する
ことを含む高輝度放電ランプを動作するための方法。
【発明の詳細な説明】
【技術分野】
【０００１】
本発明は、高輝度放電ランプ安定器及び高輝度放電ランプを動作するための方法に関連する。
【背景技術】
【０００２】
高輝度放電ランプは、より高い光出力でより明るい点灯をもたらす光源であり、より安定な点灯を達成するために安定器と呼ばれる装置で作動される。主としてインダクタから成る磁気安定器、及びスイッチング制御を提供する電子回路を持つ電子安定器の２つの型の安定器があり、電子安定器は、エネルギー節約目的用に昨今、より普及している。
【０００３】
米国特許第６４２６５９７号は、ガス放電ランプを動作するための電子安定器を開示し、この電子安定器は、フル・ブリッジを形成するように互いに連結された４つのスイッチから成る回路構成を持つ。
【０００４】
また、米国特許６４４８７２０号は、タンク回路及びＤＣ−ＡＣインバータを持つ放電ランプ駆動回路を開示し、ＤＣ−ＡＣインバータはブリッジ回路を持ち、その中には複数のＭＯＳＦＥＴがフル・ブリッジ構成に配列される。
【０００５】
ところで、駆動回路が高輝度放電ランプを動作し始めるとき、ランプ内側の温度及び圧力がまだ低いので、ランプは十分な光出力を発生しない。温度及び圧力がかなり高くなるときに、ランプはその安定動作を始めるが、この時点で、もし高輝度放電ランプがオフされれば、ランプを再始動するのに時間がかかる。例えば、温度及び圧力が再度より低くなるまで、数分又は数十分かかるかもしれない。従って、高輝度放電ランプが停電のためにオフに切り替えられるなら、例えば電力が直後に戻るときでさえ、ランプは数十分の間、十分な光出力でその動作を再始動しないかもしれない。
【０００６】
米国特許第６４８９７２９号は、高輝度放電ランプがオフされる間、補助ランプをオンする補助点灯装置を開示する。補助点灯装置には、ＨＩＤランプ状態回路、位相制御回路、トライアック、補助光源、整流回路及び増幅器を具備される。ＨＩＤランプ状態回路は、高輝度放電ランプが「ＯＦＦ」であることを示す信号を受信したとき、信号を位相制御回路に送って補助光源をオンする。整流回路及び増幅器は、フィードバック回路を形成し、整流回路は、補助光源に印加される電圧の振幅を持つ電圧信号を出力する。増幅器は、電圧信号を基準電圧と比較し、電圧信号と基準電圧との間の差を表すエラー信号を位相制御回路に出力する。エラー信号に基づいて、位相制御回路は、目標電圧が補助光源に印加されるようにトライアックを制御する。しかし、この補助点灯装置は、補助光源の電圧の検出の次にその検出された電圧に基づくフィードバック制御を必要とするから、補助点灯装置の性能が全く能率的でないかもしれないし、その回路構造はより複雑でコストの高い傾向がある。
【０００７】
米国特許第６４２６５９７、６４４８７２０及び６４８９７２９号は、参照によってそのままここに編入される。
【発明の開示】
【０００８】
本発明の一の様相によれば、高輝度放電ランプ安定器は、電源からの電力を高輝度放電ランプに供給するように構成されるランプ動作部と、該高輝度放電ランプに印加される電圧を検出すように構成されるランプ電圧検知器と、該ランプ電圧検知器によって検出された電圧に基づいて、該高輝度放電ランプがオンされた状態にあるかを決定するように構成されるランプ状態決定部と、該電源と定格電圧を持つ補助ランプとを接続するように構成される補助ランプ・スイッチング素子と、該高輝度放電ランプが該電力を供給され、該高輝度放電ランプが該オンされた状態にあることを該ランプ状態決定部が決定するとき、該補助ランプの定格電圧に実質的に等しい電圧を該補助ランプに印加するために該補助ランプ・スイッチング素子を制御するように構成される制御器とを含む。
【０００９】
本発明の別の様相によれば、高輝度放電ランプを動作するための方法は、電源からの電力を該高輝度放電ランプに供給し、該高輝度放電ランプに印加される電圧を検出し、検出した電圧に基づいて、該高輝度放電ランプがオンされた状態にあるかを決定し、該電源と定格電圧を持つ補助ランプとを接続するように構成される補助ランプ・スイッチング素子を提供し、該高輝度放電ランプが該電力を供給され、該高輝度放電ランプが該オンされた状態にないことを該ランプ状態決定部が決定するとき、該補助ランプの定格電圧に実質的に等しい電圧を該補助ランプに供給するように該補助ランプ・スイッチング素子を制御することを含む。
【発明を実施するための最良の形態】
【００１０】
添付図面を参照して実施形態を述べるが、同様の符号は、種々の図面全体を通して対応する乃至は同一の要素を示す。
【００１１】
図１（ａ）及び１（ｂ）は、本発明の第１実施形態による高輝度放電ランプ安定器を示す概略ブロック図である。高輝度放電ランプ安定器１０（以下「安定器１０」という）は、ランプ動作回路１１、制御回路４及び補助回路５を含む。
【００１２】
ランプ動作回路１１は、整流器（ＤＢ１）、昇圧コンバータ１及び極性反転型の降圧コンバータ２を含む。整流器（ＤＢ１）は、電源電圧（Ｖｓ）を持つ商用ＡＣ電源（以下単に「電源」という）から供給されるＡＣ電圧を整流する。昇圧コンバータ１は、スイッチング素子（Ｑ１）を含み、整流器（ＤＢ１）からの電圧をＤＣ電圧（ＶＤＣ１）に変換する。また、昇圧コンバータ１は、入力力率を増大して、入力電流ひずみを防止する。降圧コンバータ２は、共振回路３及びスイッチング素子（Ｑ２）〜（Ｑ５）を含み、ＤＣ電圧（ＶＤＣ１）を、高輝度放電ランプ（以下「ＨＩＤランプ」という）（Ｌａ）に印加されるべき方形波ＡＣ電圧に変換する。降圧コンバータ２は、ＨＩＤランプ（Ｌａ）の動作を開始するための始動電力モード及びＨＩＤランプ（Ｌａ）を安定に動作するための安定電力モードを含むマルチ・モードの動作を持つ。共振回路３は、パルス・トランス（ＰＴ１）及びキャパシタ（Ｃ３）を含み、パルス・トランス（ＰＴ１）は、１次巻線（ｎ１）及び２次巻線（ｎ２）を持つ。また、共振回路３は、共振周波数（ｆｒ）を持ち、共振昇圧電圧を、ＨＩＤランプ（Ｌａ）を始動又は再始動するためにＨＩＤランプ（Ｌａ）に供給する。
【００１３】
制御回路４は、ＶＤＣ１検出器４ａ、Ｑ１制御器４ｂ、検出回路４ｃ、ランプ状態決定回路4ｄ、スロー・リーク検出回路４ｅ及びスイッチング素子制御器４ｆを含み、スイッチング素子（Ｑ１）〜（Ｑ５）を制御する。ＶＤＣ１検出器４ａは、昇圧コンバータ１の出力電圧を検出するように構成される。Ｑ１制御器４ｂは、ＶＤＣ１検出器４ａによって検出された出力電圧に基づいて、スイッチング素子（Ｑ１）を制御するように構成される。検出回路４ｃ（ランプ電圧検出器）は、ＨＩＤランプ（Ｌａ）に印加されるランプ電圧（Ｖｌａ）を検出するように構成される。ランプ状態決定回路4ｄ（ランプ状態決定部）は、検出回路４ｃによって検出されたランプ電圧（Ｖｌａ）に基づいて、ＨＩＤランプ（Ｌａ）が光を発生するオンされた状態にあるかどうかを決定するように構成される。スロー・リーク検出回路４ｅ（スロー・リーク検出器）は、電圧比較回路４ｅ１及びタイマ回路４ｅ２を含み、ＨＩＤランプ（Ｌａ）におけるスロー・リークを検出するように構成される。ＨＩＤランプ（Ｌａ）は、ガスを充填される発光管を含むが、少量のガスが発光管から漏れることがある。ここで、スロー・リークは、ＨＩＤランプ（Ｌａ）のランプ電圧（Ｖｌａ）がそのような少量のガス漏れのためにランプの定格電圧に達しない状態をいう。電圧比較回路４ｅ１（ランプ電圧比較器）は、ランプ電圧（Ｖｌａ）を予め決定されたしきい電圧（Ｖｓｌ）と比較するように構成される。スロー・リーク検出回路４ｅは、ランプ電圧（Ｖｌａ）が予め決められた長さの時間を越える期間の間しきい電圧（Ｖｓｌ）よりも低いままであるときにスロー・リークがあることを決定し、安定器１０の動作を停止するようにスイッチング素子制御器４ｆに信号を送る。応じて、スロー・リーク検出回路４ｅは、スロー・リークが起こりＨＩＤランプ（Ｌａ）が低ランプ電圧及び大ランプ電流でオンされたままであるときの安定器１０における異常温度増大を防ぐ。スイッチング素子制御器４ｆは、計算回路４ｆ１及びスイッチング回路４ｆ２を含む。計算回路４ｆ１は、検出回路４ｃによって検出されたランプ電圧（Ｖｌａ）に基づいて、スイッチング素子（Ｑ４）及び（Ｑ５）の「ＯＮ」期間の長さ及び周波数を決定するように構成される。スイッチング回路４ｆ２は、降圧コンバータ２のモードを始動電力モードと安定電力モードとの間で切り替えるように構成される。降圧コンバータ２が安定電力モードで動作しているとき、スイッチング素子（Ｑ２）〜（Ｑ５）は、スイッチング回路４ｆ２を介して計算回路４ｆ１から出力される信号によって制御される。
【００１４】
補助回路５は、トライアック（Ｑ５１）、トライアック制御回路（５ａ）、電源電圧検出回路５ｂ（電源電圧検出器、電圧比較部）及びＯＲ回路６を含み、補助ランプ（ＩＬ）に接続される端子を持つ。補助ランプ（ＩＬ）は、白熱電球、ハロゲン・ランプまたは他のランプであってもよい。トライアック（Ｑ５１）は、電源と補助ランプ（ＩＬ）の端子との間に接続される双方向ゲート制御スイッチング素子である。電源電圧検出回路５ｂは、電源の電源電圧（Ｖｓ）を検出し、その検出した電圧を予め決められた基準電圧（Ｖｓｖ）と比較し、それに応じてトライアック（Ｑ５１）を制御するトライアック制御回路５ａに比較結果を出力する。
【００１５】
図１（ａ）及び１（ｂ）を参照しながら、安定器１０の動作を以下に述べる。
【００１６】
ランプ動作回路１１は、電源からＡＣ電圧を受け、整流器（ＤＢ１）によって整流された電圧が昇圧コンバータ１に入力される。昇圧コンバータ１から出力されるＤＣ電圧（ＶＤＣ１）に基づいて、制御回路４は、ＨＩＤランプ（Ｌａ）がオン又はオフされる間、ＤＣ電圧（ＶＤＣ１）が予め決められた電圧（Ｖａ）になるように、数十ｋＨｚの周波数でスイッチング素子（Ｑ１）をオン及びオフする。電圧（Ｖａ）が予め決められた電圧（Ｖａ）になるとき、降圧コンバータ２は、始動電力モードにおける動作を開始する。この時点では、ＨＩＤランプ（Ｌａ）がオフされていて、その等価インピーダンスは、ほぼ開状態に定まる。始動電力モードの降圧コンバータ２において、スイッチング素子（Ｑ２）及び（Ｑ５）が「ＯＮ」である第１期間とスイッチング素子（Ｑ３）及び（Ｑ４）が「ＯＮ」である第２期間とが、予め決められた周波数（ｆ０）で交互に繰り返される。周波数（ｆ０）は、例えば約数百ｋＨｚである。周波数（ｆ０）は、共振周波数（ｆｒ）近くに設定され、正弦波高電圧が１次巻線（ｎ１）に生成される。この高電圧は、パルス・トランス（ＰＴ１）の１次／２次巻線比によって増大されて、キャパシタ（Ｃ４）を介してＨＩＤランプ（Ｌａ）に供給され、絶縁破壊の結果として、ＨＩＤランプ（Ｌａ）が動作を開始する。ＨＩＤランプ（Ｌａ）がその動作を開始するとき、そのインピーダンスが短絡状態としてより低くなり、ＨＩＤランプ（Ｌａ）のランプ電圧（Ｖｌａ）は、約０Ｖになる。ランプ状態決定回路４ｄは、検出回路４ｃによって検出されたランプ電圧（Ｖｌａ）に基づいて、ＨＩＤランプ（Ｌａ）がオン又はオフされるかを決定する。より具体的には、ＨＩＤランプ（Ｌａ）がオフである間、ランプ状態決定回路４ｄはＨ信号を出力するが、ＨＩＤランプ（Ｌａ）がオンされてランプ電圧（Ｖｌａ）がしきい電圧（図２に示すランプ状態決定しきい電圧）より低くなるとき、ランプ状態決定回路４ｄは、ＨＩＤランプ（Ｌａ）がオンされたことを決定し、スイッチング素子制御器４ｆのスイッチング回路４ｆ２にＬ信号を出力する。次いで、スイッチング回路４ｆ２は、安定点灯出力でＨＩＤランプ（Ｌａ）を動作するための安定電力モードに降圧コンバータ２を切り替える。このモードでは、スイッチング素子（Ｑ２）及び（Ｑ３）が、予め決められた周波数（ｆａ）で交互にオンされる。スイッチング素子（Ｑ２）がオンである間、スイッチング素子（Ｑ５）は、予め設定された周波数（ｆｂ）でオン及びオフされ、スイッチング素子（Ｑ３）がオンである間、スイッチング素子（Ｑ４）は、予め設定された周波数（ｆｂ）でオン及びオフされる。周波数（ｆａ）は、例えば約数百Ｈｚであり、周波数（ｆｂ）は、例えば約数十ｋＨｚである。結果として、ＨＩＤランプ（Ｌａ）は、周波数（ｆａ）を持つ方形波ＡＣ電圧を受ける。ＨＩＤランプ（Ｌａ）のランプ電圧（Ｖｌａ）はその動作の開始直後まだ低いが、ＨＩＤランプ（Ｌａ）の内部温度及び圧力がより高くなるにつれてランプ電圧（Ｖｌａ）が増大し、次いでＨＩＤランプ（Ｌａ）はその定格電圧で安定動作に達する。検出回路４ｃによって検出されたランプ電圧（Ｖｌａ）に基づいて、計算回路４ｆ１が、適した電力をＨＩＤランプ（Ｌａ）に供給するためにスイッチング素子（Ｑ４）及び（Ｑ５）のオン期間の長さ及び周波数を決定し、その決定した周波数及び長さに応じて、スイッチング回路４ｆ２が、スイッチング素子（Ｑ４）及び（Ｑ５）をオン及びオフし、それによりＨＩＤランプ（Ｌａ）を安定に動作させる。
【００１７】
図２は、電源の電源電圧（Ｖｓ）が実質的に補助ランプ（ＩＬ）の定格電圧に等しい場合における安定器１０の動作を示すシーケンス図である。図２は、上から下にかけて、電源の電源電圧（Ｖｓ）、ランプ電圧（Ｖｌａ）、ＨＩＤランプ（Ｌａ）を流れるランプ電流、ランプ状態決定回路４ｄ、タイマ回路４ｅ２、電圧比較回路４ｅ１、電源電圧検出回路５ｂ及びトライアック制御回路５ａの各出力、及び補助ランプ（ＩＬ）に印加される電圧を示す。図２に示すように、ＨＩＤランプ（Ｌａ）は、初めに例えば約数百ｋＨｚの高周波数を持つ高電圧を受けながら「ＯＦＦ」であり、降圧コンバータ２は、始動電力モードで動作している。この時点で、ランプ状態決定回路４ｄは、ＨＩＤランプ（Ｌａ）がオフしていることを示すＨ信号を出力する。電源電圧検出回路５ｂは、電源電圧（Ｖｓ）を検出し、その検出した電圧を予め決められた基準電圧（Ｖｓｖ）と比較する。この場合、検出した電圧は基準電圧（Ｖｓｖ）よりも小さいので、電源電圧検出回路５ｂは、Ｈ信号をトライアック制御回路５ａに出力し、トライアック制御回路５ａは、ＤＣ信号をトライアック（Ｑ５１）用のゲート信号として作成する。ランプ状態決定回路４ｄによって生成されたＨＩＤランプ（Ｌａ）の「ＯＦＦ」状態を示すＨ信号は、補助回路５中のＯＲ回路６に入力され、このＨ信号に基づいて、トライアック制御回路５ａは、ＤＣ信号をトライアック（Ｑ５１）に供給する。ＤＣ信号はトライアック（Ｑ５１）をオンし、補助ランプ（ＩＬ）は電源電圧（Ｖｓ）に実質的に等しい電圧を受ける。一定期間の間、高周波を持つ高電圧を受けた後、ＨＩＤランプ（Ｌａ）が始動され、ランプ電圧（Ｖｌａ）が増大される。ランプ状態決定回路４ｄは、検出したランプ電圧（Ｖｌａ）を予め決められたしきい電圧（Ｖｓｔ）と比較し、検出したランプ電圧（Ｖｌａ）がしきい値よりも低いとき、ランプ状態決定回路４ｄは、ＨＩＤランプ（Ｌａ）がオンされたことを決定し、その出力をＨ信号からＬ信号に切り替える。このＬ信号を受けたとき、降圧コンバータ２は、始動電力モードから安定電力モードに動作モードを変える。スロー・リーク検出回路４ｅの電圧比較回路４ｅ１は、ＨＩＤランプ（Ｌａ）が動作し始めるまでＬ信号を出力する。ＨＩＤランプ（Ｌａ）がオンされ、ランプ電圧（Ｖｌａ）がスロー・リーク検出しきい電圧（Ｖｓｌ）を下回るとき、電圧比較回路４ｅ１は、Ｌ信号からＨ信号に出力を切り替える。Ｈ信号の受信時、タイマ回路４ｅ２は、時間を計測し始める。電圧比較回路４ｅ１からのＨ信号は、ＯＲ回路６に入力され、トライアック制御回路５ａは、ゲート信号としてのＤＣ信号をトライアック（Ｑ５１）に供給する。トライアック（Ｑ５１）はオンされ、電源電圧（Ｖｓ）に実質的に等しい電圧は、補助ランプ（ＩＬ）に印加されたままである。降圧コンバータ２が安定電力モードで動作し始め、ＨＩＤランプ（Ｌａ）のランプ電圧（Ｖｌａ）が図２に示すようにしきい電圧（Ｖｓｌ）を超えた後、電圧比較回路４ｅ１はＨ信号からＬ信号に出力を切り替え、ＯＲ回路６が、ランプ状態決定回路４ｄ及び電圧比較回路４ｅ１の双方からＬ信号を受けるので、トライアック制御回路５ａは、ゲート信号をトライアック（Ｑ５１）に供給するのを停止して、トライアック（Ｑ５１）をオフする。結果として、補助ランプ（ＩＬ）への電力供給が停止されて、補助ランプ（ＩＬ）がオフされる。
【００１８】
電源の電源電圧（Ｖｓ）が補助ランプ（ＩＬ）の定格電圧よりも高いとき、安定器１０は、別の方法で動作する。図３は、電源の電源電圧（Ｖｓ）が補助ランプ（ＩＬ）の定格電圧よりも高い場合の安定器１０の動作を示すシーケンス図である。図２と違って、電源電圧検出回路５ｂは、検出した電源電圧が予め決められた基準電圧（Ｖｓｖ）よりも高いことを示すＬ信号を出力する。このＬ信号に基づいて、トライアック制御回路５ａは、固定位相での電源電圧の位相制御用に、トライアック（Ｑ５１）に供給されるゲート信号として固定幅のパルスを作成する。ＨＩＤランプ（Ｌａ）がオフされる間、ランプ状態決定回路４ｄはＯＲ回路６へのＨ信号を生成し、その結果としてトライアック制御回路５ａは、パルスをトライアック（Ｑ５１）に供給し、補助ランプ（ＩＬ）の定格電圧に実質的に等しい電圧を補助ランプ（ＩＬ）に印加するために固定位相でトライアック（Ｑ５１）をオン／オフする。電源電圧（Ｖｓ）が補助ランプ（ＩＬ）の定格電圧よりも高いかどうかを決定するのに電源電圧検出回路５ｂが使用する予め決められた基準電圧（Ｖｓｖ）について、基準電圧（Ｖｓｖ）は、補助ランプ（ＩＬ）の定格電圧に実質的に等しい電源電圧を持つ電源の許容最大電圧であってもよい。例えば、１２０ＶのＡＣ電圧の場合には、電圧は約１０８Ｖから約１３２Ｖまでの範囲の中で変動してもよく、その許容最大電圧は約１３２Ｖである。電源電圧のそのような変動のために、基準電圧（Ｖｓｖ）は、補助ランプの定格電圧に実質的に等しい電源電圧よりも約１０％大きくて良い。代わりに、基準電圧（Ｖｓｖ）は、補助ランプ（ＩＬ）の定格電圧の許容最大電圧であってもよい。例えば、１２０Ｖの定格電圧を持つ補助ランプ（ＩＬ）については、許容最大電圧は約１４０Ｖである。この場合、基準電圧（Ｖｓｖ）は、電源電圧よりもたとえそれが変動したとしても十分に高いので、電源電圧決定回路５ｂは、電源電圧が補助ランプ（ＩＬ）の定格電圧よりも高いかどうかをより正確に決定し、その結果として補助回路５は、補助ランプＩＬに高電圧で損害を与えることなく補助ランプ（ＩＬ）をより適切に動作する。また、基準電圧（Ｖｓｖ）が、電源電圧の変動を考慮して上記の如く好ましく設定されるので、基準電圧（Ｖｓｖ）が、例えば１２０Ｖの定格電圧を持つ補助ランプ（ＩＬ）用に１４０Ｖに設定され、電源電圧（Ｖｓ）が変動するものの基準電圧（Ｖｓｖ）を超えないとき、電源電圧（Ｖｓ）は、減じた電圧を補助ランプ（ＩＬ）に印加する位相制御されない。その結果として、補助ランプ（ＩＬ）は、補助ランプ（ＩＬ）用の許容電圧範囲内のより高い電圧を受けながら、十分な点灯出力を生成する。
【００１９】
ＨＩＤランプ（Ｌａ）がオンされた後、安定器１１の動作は、図２の場合と同様である。図３に示すように、ランプ電圧（Ｖｌａ）がリークしきい値（Ｖｓｌ）に達するまで、電圧比較回路４ｅ１は、Ｈ信号をＯＲ回路６に出力し、その結果としてトライアック回路５ａは、ＤＣ信号を供給してトライアック（Ｑ５１）をオンする。ＨＩＤランプ（Ｌａ）が安定電力モードで動作させる間で、ランプ電圧（Ｖｌａ）がリークしきい値（Ｖｓｌ）を超えるとき、電圧比較回路４ｅ１は、Ｈ信号からＬ信号に出力を切り替える。ランプ状態決定回路４ｄ及び電圧比較回路４ｅ１から入力されるＬ信号に基づいて、トライアック制御回路５ａは、ゲート信号をトライアック（Ｑ５１）に供給するのを停止して、トライアック（Ｑ５１）をオフする。結果として、補助ランプ（ＩＬ）への電力供給が停止されて、補助ランプ（ＩＬ）がオフされる。
【００２０】
図４を参照しながら、どのように安定器１０がＨＩＤランプ（Ｌａ）のスロー・リークを検出し、ＨＩＤランプ（Ｌａ）への電力供給を停止するかを以下に述べる。この場合、電源電圧（Ｖｓ）は補助ランプ（ＩＬ）の定格電圧よりも高く、その結果として安定器１０の動作は、ＨＩＤランプ（Ｌａ）がその動作を開始するまで図３に示す動作と同様である。ＨＩＤランプ（Ｌａ）が一旦オンされると、スロー・リーク検出回路４ｅは、タイマ回路４ｅ２で時間を計測し、検出したランプ電圧（Ｖｌａ）をしきい電圧（Ｖｓｌ）と比較することによって、ＨＩＤランプ（Ｌａ）にスロー・リークがあるかを検査し始める。図４の場合には、ＨＩＤランプ（Ｌａ）のスロー・リークのため、ランプ電圧（Ｖｌａ）は、しきい電圧（Ｖｓｌ）に達しない。タイマ回路４ｅ２によって計測された時間が、予め決められた長さの時間を超え、検出したランプ電圧（Ｖｌａ）がしきい電圧（Ｖｓｌ）よりもまだ低いとき、スロー・リーク検出回路４ｅは、ＨＩＤランプ（Ｌａ）にスロー・リークがあることを決定し、Ｌ信号からＨ信号にその出力を切り替える。スイッチング回路４ｆ２は、このＨ信号を受けて、ＨＩＤランプ（Ｌａ）への電力供給を停止するために降圧コンバータ２をオフする。降圧コンバータ２がＨＩＤランプ（Ｌａ）に電力を供給するのを停止するとき、ランプ電圧（Ｖｌａ）は実質的にゼロに等しくなる。電圧比較回路４ｅ１は、Ｈ信号をＯＲ回路６に出力し続けて、トライアック制御回路５ａは、トライアック（Ｑ５１）をオンするためにパルスをトライアック（Ｑ５１）に供給する。結果として、補助ランプ（ＩＬ）は、電源電圧（Ｖｓ）の位相制御によって生成された補助ランプ（ＩＬ）の定格電圧に実質的に等しい効果的な電圧を受けながら、オンされたままである。
【００２１】
図５（ａ）及び５（ｂ）は、本発明の第２実施形態による高輝度放電ランプを例示するブロック図である。高輝度放電ランプ安定器２０（以下、単に「安定器２０」という）は、電力切断回路２１を除き安定器１０の前述の補助回路５と同様の構成を持つ補助回路２５を含む。電力切断回路２１（電力切断部）は、フューズ（Ｆ５１）（切断部）、トライアック（Ｑ５２）、抵抗（Ｒ５１）、キャパシタ（Ｃ５１）及び電圧感知双方向スイッチ（以下、単に「スイッチ」という）（Ｑ５５）を持つ。抵抗（Ｒ５１）及びキャパシタ（Ｃ５１）は、補助ランプ電圧検出器として働く。フューズ（Ｆ５１）は、補助ランプ（ＩＬ）とトライアック（Ｑ５１）との間に置かれ、トライアック（Ｑ５２）は、補助ランプ（ＩＬ）と並列に、フューズ（Ｆ５１）と補助ランプ（ＩＬ）との間に置かれる。抵抗（Ｒ５１）、キャパシタ（Ｃ５１）及びスイッチ（Ｑ５５）は、トライアック（Ｑ５２）の制御回路として具備される。補助回路２５が本実施形態におけるそのような構成を持つので、たとえ極端に高い電圧がトライアック（Ｑ５１）の不具合によって或いは電源電圧異常によって生成され、その高い電圧が補助ランプ（ＩＬ）に印加されるとしても、補助回路２５は、補助ランプ（ＩＬ）に電力を供給するのを停止し、補助ランプ（ＩＬ）がその高い電圧によって破壊されるのを防止する。
【００２２】
図６を参照しながら、トライアック（Ｑ５１）の不具合の場合にどのように補助回路２５が補助ランプ（ＩＬ）への電力供給を停止するのかを以下に述べる。電源の電源電圧（Ｖｓ）が補助ランプ（ＩＬ）の定格電圧よりもかなり高く、短絡がトライアック（Ｑ５１）に起こるとき、電源電圧（Ｖｓ）は適切に位相制御されず、その結果として過度に高い電圧が補助ランプ（ＩＬ）に印加される。図６の場合、トライアック（Ｑ５１）は最初適切に動作するが、後の不具合の結果として、キャパシタ（Ｃ５１）の充電時間がより長くなり、充電の間のキャパシタ電圧が、トライアック（Ｑ５１）が不具合無く動作するときよりも高くなる。本発明のこの実施形態による安定器２０において、スイッチ（Ｑ５５）の応答電圧は、トライアック（Ｑ５１）が適切に動作するときにキャパシタ（Ｃ５１）に充電される電圧よりも高いが、トライアック（Ｑ５１）が短絡されるときにキャパシタ（Ｃ５１）に充電される電圧よりも低くなるように設定される。従って、トライアック（Ｑ５１）が短絡を持つとき、スイッチ（Ｑ５５）がオンされ、電流が、補助ランプ（ＩＬ）の両端を短絡するトライアック（Ｑ５２）のゲート端子に流入する。短絡のため、過度に大きい電流が電源から補助回路２５に供給され、フューズ（Ｆ５１）が溶けて、補助回路（ＩＬ）への電力供給が停止される。それ故に、本実施形態の安定器２０は、補助ランプ（ＩＬ）が破壊されるのをより効果的に防止する。なお、そのような防止制御が利用できない補助回路においては、補助ランプの破壊が避けられないかもしれないから、特にハロゲン・ランプが補助ランプとして使用される場合には非常に危険となる。
【００２３】
図７（ａ）及び７（ｂ）は、本発明の第３実施形態による高輝度放電ランプを示すブロック図である。高輝度放電ランプ安定器３０（以下、単に「安定器３０」という）は、電力低減回路３２を除き安定器２０の前述の補助回路２５と同様の構成を持つ補助回路３５を有する。電力低減回路３２（電力低減部）は、キャパシタ（Ｃ５１）及び（Ｃ５２）、トライアック（Ｑ５３）、抵抗（Ｒ５１）、（Ｒ５２）及び（Ｒ５３）、トライアック（Ｑ５４）、及び電圧感知双方向スイッチ（以下、単に「スイッチ」という）（Ｑ５５）を持つ。抵抗（Ｒ５１）及びキャパシタ（Ｃ５１）は、補助ランプ電圧検出器として働く。キャパシタ（Ｃ５２）は、補助ランプ（ＩＬ）とトライアック（Ｑ５１）との間に置かれ、トライアック（Ｑ５３）は、キャパシタ（Ｃ５２）の両端を接続／切断するように置かれる。抵抗（Ｒ５２）及び（Ｒ５３）、及びトライアック（Ｑ５４）は、トライアック（Ｑ５３）の制御回路として具備される。また、抵抗（Ｒ５１）、キャパシタ（Ｃ５１）及びスイッチ（Ｑ５５）は、トライアック（Ｑ５４）の制御回路として具備される。補助回路３５は本実施形態におけるそのような構成を持つので、たとえ極端に高い電圧がトライアック（Ｑ５１）の不具合によって或いは電源電圧異常によって生成され、その高い電圧が補助ランプ（ＩＬ）に印加されるとしても、電力低減回路３２が補助ランプ（ＩＬ）への電力供給を低減し、補助ランプ（ＩＬ）がその高い電圧によって破壊されるのを防止する。
【００２４】
図８を参照しながら、トライアック（Ｑ５１）の不具合の場合にどのように電力低減回路３２が補助ランプ（ＩＬ）への電力供給を低減するかを以下に述べる。電源の電源電圧（Ｖｓ）が補助ランプ（ＩＬ）の定格電圧よりもかなり高く、短絡がトライアック（Ｑ５１）に起こるとき、電源電圧（Ｖｓ）は適切に位相制御されず、その結果として過度に高い電圧が補助ランプ（ＩＬ）に印加される。図８の場合には、トライアック（Ｑ５１）は最初適切に動作するから、トライアック（Ｑ５３）はオンされ、位相制御電圧が補助ランプ（ＩＬ）に印加される。しかし、トライアック（Ｑ５１）が短絡及び不具合であるとき、トライアック（Ｑ５３）がオンされるので、電源電圧（Ｖｓ）に実質的に等しい高電圧が補助ランプ（ＩＬ）に印加される。結果として、キャパシタ（Ｃ５１）の充電時間がより長くなり、充電の間のキャパシタ電圧が、トライアック（Ｑ５１）が不具合無く動作するときよりも高くなる。スイッチ（Ｑ５５）の応答電圧は、トライアック（Ｑ５１）が適切に動作するときのキャパシタ充電電圧よりも高いが、トライアック（Ｑ５１）が短絡されるときのキャパシタ充電電圧よりも低くなるように設定される。従って、トライアック（Ｑ５１）が短絡をもつとき、スイッチ（Ｑ５５）がオンされ、電流がトライアック（Ｑ５４）のゲート端子に流入し、トライアック（Ｑ５４）をオンする。トライアック（Ｑ５３）のゲート端子が短絡され、トリガ電流がそのゲート端子に流入しない。このように、トライアック（Ｑ５３）がオフされる。結果として、キャパシタ（Ｃ５２）がトライアック（Ｑ５１）と補助ランプ（ＩＬ）との間に挿入され、電源電圧（Ｖｓ）がキャパシタ（Ｃ５２）及び補助ランプ（ＩＬ）のインピーダンスによって分配される。それ故、低減された電圧が補助ランプ（ＩＬ）に印加される。この方法において、安定器３０の補助回路３５は、補助ランプ（ＩＬ）への極端に高い電圧の印加をより効果的に防止し、さもなければ逆に補助ランプ（ＩＬ）の動作に影響を及ぼす。
【００２５】
上述の如く、本発明の実施形態による安定器において、トライアック制御器は、ＨＩＤランプに電力が供給され、ＨＩＤランプがオンされた状態にないことをランプ状態決定回路が決定したとき、補助ランプの定格電圧に実質的に等しい電圧を補助ランプに印加するようにトライアックを制御する。それ故に、安定器は、電源の電圧に関係なく、定格電圧に実質的に等しい電圧で補助ランプを適切にオンする。応じて、電源の電源電圧に依存しながら異なって設計される安定器の状況とは違って、本発明の実施形態による安定器のインベントリ制御は非常により容易であり、生産性がかなり増大される。しかし、図９、１０（ａ）及び１０（ｂ）に示すような補助点灯装置の場合には、装置は、選択された電圧のみと互換性がある。より具体的には、図１０（ａ）及び１０（ｂ）に示す補助点灯装置は、リレー回路（Ｒｙ１）、電源と白熱電球との間に接続される一対の端子（Ｔ１ａ）及び（Ｔ１ｂ）、及びＨＩＤランプと安定器との間に接続される一対の端子（Ｔ２ａ）及び（Ｔ２ｂ）を持つ。励起ワイヤ（Ｍ１）は端子（Ｔ２ａ）及び（Ｔ２ｂ）間に、主スイッチ（Ｓ１）は端子（Ｔ１ａ）及び（Ｔ１ｂ）の間に接続される。リレー回路（Ｒｙ１）において、電流が励起ワイヤ（Ｍ１）を通って流れるとき、主スイッチ（Ｓ１）はオフされ、電流が流れない間は、主スイッチ（Ｓ１）はオンされる。高輝度放電ランプがオフされるとき、電流が励起ワイヤ（Ｍ１）を通って流れないので、主スイッチ（Ｓ１）がオンされ、白熱電球が電源から電力を受ける。一旦、高輝度放電ランプがオンされ、電流が励起ワイヤ（Ｍ１）を通って流れると、主スイッチ（Ｓ１）がオフされるから、白熱電球への電力供給が停止され、白熱電球がオフされる。しかし、図１１（ａ）及び１１（ｂ）に示すように、補助点灯装置は、電源電圧（ＡＣ２７７Ｖ）を白熱電球の定格電圧（ＡＣ１２０Ｖ）に低減するためのトランスを必要とする。それに反して、本発明の実施形態による安定器は、ＨＩＤランプがオフされることをランプ状態決定回路が決定するときに、補助ランプの定格電圧に実質的に等しい電圧を補助ランプに印加するために、トライアックを制御するように構成される制御器を有するから、安定器は、より小さく複雑でない構造を持つ。
【００２６】
明らかに、本発明の多数の修正及び変形が上記内容に鑑みて可能である。従って、添付した特許請求の範囲内において、本発明が、ここに明確に記述したものとは別のやり方でなされても良いことが理解される。
【図面の簡単な説明】
【００２７】
【図１（ａ）】本発明の第１実施形態による高輝度放電ランプ安定器を例示する概略ブロック図である。
【図１（ｂ）】本発明の第１実施形態による高輝度放電ランプ安定器を例示する概略ブロック図である。
【図２】電源電圧が補助ランプの定格電圧よりも高くないときの高輝度放電ランプ安定器の動作を示すシーケンス図である。
【図３】電源電圧が補助ランプの定格電圧よりも高いときの高輝度放電ランプ安定器の動作を示すシーケンス図である。
【図４】高輝度放電ランプにスロー・リークがあるときの高輝度放電ランプ安定器の動作を示すシーケンス図である。
【図５（ａ）】本発明の第２実施形態による高輝度放電ランプ安定器を例示する概略ブロック図である。
【図５（ｂ）】本発明の第２実施形態による高輝度放電ランプ安定器を例示する概略ブロック図である。
【図６】図５（ａ）及び５（ｂ）に示す高輝度放電ランプ安定器の動作を示すシーケンス図である。
【図７（ａ）】本発明の第３実施形態による高輝度放電ランプ安定器を例示する概略ブロック図である。
【図７（ｂ）】本発明の第３実施形態による高輝度放電ランプ安定器を例示する概略ブロック図である。
【図８】図７（ａ）及び７（ｂ）に示す高輝度放電ランプ安定器の動作を示すシーケンス図である。
【図９】補助点灯装置用のリレー回路を例示する概略図である。
【図１０（ａ）】リレー回路を持つ補助点灯装置を例示する概略ブロック図である。
【図１０（ｂ）】リレー回路を持つ補助点灯装置を例示する概略ブロック図である。
【図１１（ａ）】リレー回路及びトランスを持つ補助点灯装置を例示する概略ブロック図である。
【図１１（ｂ）】リレー回路及びトランスを持つ補助点灯装置を例示する概略ブロック図である。
【符号の説明】
【００２８】
１０  高輝度放電ランプ安定器
１１  ランプ動作回路
１  昇圧コンバータ
２  降圧コンバータ
３  共振回路
４  制御回路
４ａ  ＶＤＣ１検出器
４ｂ  Ｑ１制御器
４ｃ  検出回路
４ｄ  ランプ状態決定回路
４ｅ  スロー・リーク検出回路
４ｅ１  電圧比較回路
４ｅ２  タイマ回路
４ｆ  スイッチング素子制御器
４ｆ１  計算回路
４ｆ２  スイッチング回路
５，２５，３５  補助回路
Ｑ５１  トライアック
５ａ  トライアック制御回路
５ｂ  電源電圧検出回路
６  ＯＲ回路
２１  電力切断回路
３２  電力低減回路
【図１（ａ）】
2006156376.tif 000003
【図１（ｂ）】
2006156376.tif 000004
【図２】
2006156376.tif 000005
【図３】
2006156376.tif 000006
【図４】
2006156376.tif 000007
【図５（ａ）】
2006156376.tif 000008
【図５（ｂ）】
2006156376.tif 000009
【図６】
2006156376.tif 000010
【図７（ａ）】
2006156376.tif 000011
【図７（ｂ）】
2006156376.tif 000012
【図８】
2006156376.tif 000013
【図９】
2006156376.tif 000014
【図１０（ａ）】
2006156376.tif 000015
【図１０（ｂ）】
2006156376.tif 000016
【図１１（ａ）】
2006156376.tif 000017
【図１１（ｂ）】
2006156376.tif 000018
【外国語明細書】
2006156376000001.pdf
2006156376000002.pdf
2006156376000003.pdf
2006156376000004.pdf